(57)【特許請求の範囲】
【請求項１】
シェルフに基板モジュールからなるパッケージが複数収容され、光ファイバを該パッケージ引き出し側と反対側である該シェルフの裏面側より該シェルフの内部に引き込むとともに該シェルフの表面側の該パッケージの部位に光プラグを介して接続する構成を有する電子機器の光ファイバ余長処理構造であって、
該シェルフの裏面側に光ファイバの余長分を収容するカートリジを有し、
前記カートリジは複数の前記パッケージとそれぞれ対になって設けてあり、
且つ、前記カートリジには脱着可能でかつ装着状態において回動しないように固定された巻き軸が内蔵され、該巻き軸に前記光ファイバの余長分が巻回されるとともに、該巻き軸は軸が前記パッケージの引き出し方向と直交する方向に配置され、
前記シェルフからおよそ最大限離間する位置から該巻き軸に巻回された前記光ファイバが引き出され、
該パッケージの引き出し方向側でかつ該シェルフに近接する側の該カートリジの端部は実質的に該シェルフに取付けられる軸によって回動可能に軸止めされ、
該パッケージを該シェルフの表面方向に引き出すことによって前記光プラグが該シェルフの表面方向に所定距離移動するときに、該光ファイバは引っ張られて該光ファイバの引き出し位置である該カートリジの端部が該軸を中心として円周運動することによって該光ファイバの余長分が該シェルフの表面方向に移動するように構成されることを特徴とする電子機器の光ファイバ余長処理構造。
【請求項２】
シェルフに基板モジュールからなるパッケージが複数収容され、光ファイバを該パッケージ引き出し側と反対側である該シェルフの裏面側より該シェルフの内部に引き込むとともに該シェルフの表面側の該パッケージの部位に光プラグを介して接続する構成を有する電子機器の光ファイバ余長処理構造に用いられるカートリジであって、
前記光ファイバの曲げ許容値内で該光ファイバを巻回するための所望の径を有する巻き軸が内蔵され、該巻き軸に該光ファイバの余長分が巻回される構成を有し、
且つ、前記シェルフからほぼ最大限離間して配置される位置から前記巻き軸に巻回された前記光ファイバが引き出され、
前記パッケージの引き出し方向側でかつ該シェルフに近接する側に配置される位置に該カートリジの端部を該シェルフまたは該シェルフ周辺部に回動可能に軸止めするための軸受け機構が設けられ、
該パッケージの引き出し方向と反対方向側でかつ該軸受け機構と対向して配置される位置に該カートリジの端部を該シェルフ周辺部に脱着可能に固定する固定機構が設けられることを特徴とするカートリジ。
【請求項３】
前記カートリジは脱着可能にカートリジ取付け部に取付けられ、
該カートリジ取付け部に前記軸受け機構および前記固定機構が設けられることを特徴とする請求項２記載のカートリジ。
【発明の詳細な説明】
【０００１】
【発明の属する技術分野】
本発明は通信装置等の電子機器で使用される光ファイバの余長処理構造に関する。
【０００２】
【従来の技術】
目前に迫った２１世紀の本格的なマルチメディア時代の到来に向け、ＦＴＴＨ（Ｆｉｂｅｒ  Ｔｏ  Ｔｈｅ  Ｈｏｍｅ）といわれるように各家庭に光ファイバが敷設される時代を迎えようとしている。
それに伴い通信回線の大容量化が求められ、各局舎内に配置した通信装置に配設される光ファイバの本数がおびただしく増大すると、各通信装置内で光ファイバが輻輳し、光ファイバの取り扱いが煩雑化することは必至である。
【０００３】
図８に示すように、通信装置内部への光ファイバの引き込み方法（導入方法）には、表面（前面）アクセスと裏面アクセスの２種類の方式がある。（ａ）に示す前者の表面アクセス方式の場合、通信装置１のシェルフ２の側面２ａに上下方向に沿って配設された光ファイバ３がシェルフ２の表面２ｂ近傍の位置からシェルフ２の内部に引き込まれる。一方、後者の裏面アクセス方式の場合、シェルフ２の裏面の上下方向に沿って配設された光ファイバ３がシェルフ２の裏面の位置からシェルフ２の内部に引き込まれる（引き込み個所は図示せず。）。
【０００４】
上記の２種類の方式のうち、おおむね海外では前者の表面アクセス方式が主流であるのに対して国内では裏面アクセス方式が主流となっている。
後者の裏面アクセス方式の場合の通信装置の一例をさらに具体的に図９および図１０に示す。図９の通信装置１の内部の一部を透視して示す側面図において、シェルフ２の内部に基板モジュールからなるパッケージ４が収容されている。シェルフ２の裏面から複数の支持部材５ａが後方に向けて延出され、支持部材５ａの先端部には支持部材５ａを一体化して上下方向に架台５ｂが設けられている。この結果、シェルフ２の裏面と架台５ｂとの間には空間部Ａが形成されるが、この空間部Ａには、シェルフ２の内部に設けられる電子部品に接続される電気ケーブルが配設される（図示せず。）。複数の光ファイバ３は架台５ｂに収容されて図９中上方向に延設され、シェルフ２の裏面上部からシェルフ２の内部に引き込まれる。シェルフ２の上部には室（ＯＰＴ  ＴＥＲＭ部）７が形成され、室７は傾斜板８で仕切られている。傾斜板８の上面に沿って延設される光ファイバ３はシェルフ２の表面側でパッケージ４の上端部の光プラグ９に接続されている。なお、室７とパッケージ４収容個所との間の仕切り部には多数の開口が形成され、また、シェルフ２には冷却用のファンが取り付けられており（いずれも図示せず。）、通信装置１使用中にパッケージ４から発生する熱を伴った熱風は開口を介して傾斜板８に沿ってシェルフ２の裏面上部の図示しない開口から外部に排出される構造とされている。
【０００５】
図１０は上記通信装置１を他の方向からみたものであり、（ａ）は一部省略した正面図を、（ｂ）は一部省略した平面図を、（ｃ）は一部省略した背面図をそれぞれ示す。通信装置１には余分な長さの光ファイバ３を煩雑とならないように集束する余長処理を行うために、余長処理部６ａ〜６ｃが設けられており、余長処理部６ａ〜６ｃにおいて光ファイバ３の余長分が巻回されている。このうち、（ｃ）に示すシェルフ２の裏面側に設けられる余長処理部（余長収容体）６ｃでは、各光ファイバ３がこの場合３箇所で巻回され、実質的に結束され、固定されており、通信装置１に接続される光ファイバ３の大半の余長分はこの余長処理部６ｃで余長処理されている。一方、（ａ）および（ｂ）に示すシェルフ２の表面上部およびシェルフ２の上部に設けられる余長処理部６ａ、６ｂでは光ファイバ３は単に巻回されて集束して収容されている。
【０００６】
パッケージ４を交換等する場合、パッケージ４がシェルフ２の表面方向に引き出される。このとき、パッケージ４が引き出されるのに伴ってパッケージ４に固定された図示しない接続アダプタに接続された光プラグ９を介して光ファイバ３が引っ張られ、シェルフ２の上部およびシェルフ２の表面上部に設けられる余長処理部６ａ、６ｂの光ファイバ３が引き伸ばされ、パッケージ４が円滑に引き出される。そして、光ファイバ３の接続された光プラグ９と接続アダプタとの接続を解除した後、パッケージ４が取り外される。
【０００７】
【発明が解決しようとする課題】
しかしながら、上記した従来の裏面アクセス方式の通信装置１の場合、多数本の光ファイバ３が接続されるときにはシェルフ２の裏面側に設けられる余長処理部その他の余長処理部６ａ〜６ｃでの光ファイバ３の結束、集束状態が煩雑となり、この煩雑さはシェルフ２の表面上部およびシェルフ２の上部に設けられる余長処理部において特に顕著である。このため、例えば1 本の光ファイバ３を増設し、移設し、あるいは撤去するとき、目的の光ファイバ３を特定することが困難となる。また、パッケージ４をシェルフ２の表面側に引き出すとき、光プラグ９に接続される光ファイバ３が引っ張られて、光ファイバ３を巻回した個所が曲げ許容値を超えて曲げられる不具合もある。
【０００８】
本発明は上記の課題に鑑みてなされたものであり、光ファイバが整然と余長処理され、光ファイバの１本１本を識別可能であり、したがって、光ファイバを増設し、移設し、あるいは撤去する作業を容易かつ確実に行なうことができ、また、光ファイバを増設し、移設し、あるいは撤去するためにパッケージを抜き差しするときに光ファイバが曲げ許容値を超えて曲げられることのない電子機器で使用される光ファイバの余長処理構造および余長処理構造に用いられるカートリジを提供することを目的とする。
【０００９】
【課題を解決するための手段】
本発明に係る電子機器の光ファイバ余長処理構造は、シェルフに基板モジュールからなるパッケージが複数収容され、光ファイバを該パッケージ引き出し側と反対側である該シェルフの裏面側より該シェルフの内部に引き込むとともに該シェルフの表面側の該パッケージの部位に光プラグを介して接続する構成を有する電子機器の光ファイバ余長処理構造であって、該シェルフの裏面側に光ファイバの余長分を収容するカートリジを有し、
前記カートリジは複数の前記パッケージとそれぞれ対になって設けてあり、
且つ、前記カートリジには脱着可能でかつ装着状態において回動しないように固定された巻き軸が内蔵され、該巻き軸に前記光ファイバの余長分が巻回されるとともに、該巻き軸は軸が前記パッケージの引き出し方向と直交する方向に配置され、
前記シェルフからおよそ最大限離間する位置から該巻き軸に巻回された前記光ファイバが引き出され、
該パッケージの引き出し方向側でかつ該シェルフに近接する側の該カートリジの端部は実質的に該シェルフに取付けられる軸によって回動可能に軸止めされ、
該パッケージを該シェルフの表面方向に引き出すことによって前記光プラグが該シェルフの表面方向に所定距離移動するときに、該光ファイバは引っ張られて該光ファイバの引き出し位置である該カートリジの端部が該軸を中心として円周運動することによって該光ファイバの余長分が該シェルフの表面方向に移動するように構成されることを特徴とする（請求項１に係る発明）。
【００１０】
ここで、光ファイバ余長処理構造とは、電子機器に光ファイバを接続したときに余った光ファイバ部分（余長分）を煩雑にならないように集束処理する構造をいう。また、シェルフの裏面側とはシェルフの裏面近傍に限らず裏面を含む平面を基準としてシェルフの後方側の空間部を広く指すものとする。また、光ファイバの余長分はカートリジの内部に固定的に結束してもよいし、単に束ねるだけであってもよい。
【００１１】
本発明の上記の構成により、光ファイバの余長分はカートリジの内部に収容されるため、光ファイバが整然と余長処理され、したがって、光ファイバを増設し、移設し、あるいは撤去する作業を容易かつ確実に行なうことができる。
また、この場合、前記カートリジは複数の前記パッケージとそれぞれ対になって設けてあるため、光ファイバの１本１本を識別可能であり、また、カートリジとパッケージの対ごとに（組ごとに）光ファイバを増設し、移設し、あるいは撤去することができ、より好適である。
【００１３】
また、本発明に係る電子機器の光ファイバ余長処理構造は、前記カートリジには脱着可能でかつ装着状態において回動しないように固定された巻き軸が内蔵され、該巻き軸に前記光ファイバの余長分が巻回されるとともに、該巻き軸は軸が前記パッケージの引き出し方向と直交する方向に配置され、前記シェルフからおよそ最大限離間する位置から該巻き軸に巻回された前記光ファイバが引き出され、該パッケージの引き出し方向側でかつ該シェルフに近接する側の該カートリジの端部は実質的に該シェルフに取付けられる軸によって回動可能に軸止めされ、該パッケージを該シェルフの表面方向に引き出すことによって前記光プラグが該シェルフの表面方向に所定距離移動するときに、該光ファイバは引っ張られて該光ファイバの引き出し位置である該カートリジの端部が該軸を中心として円周運動することによって該光ファイバの余長分が該シェルフの表面方向に移動するように構成してあるため、光ファイバの余長分を巻き軸に巻回、結束して、整然とカートリジの内部に収容することができるとともに、光ファイバを増設し、移設し、あるいは撤去するためにパッケージを抜き差しするときに光ファイバが許容値を超えて曲げられることがない。
【００１４】
ここで、光プラグがシェルフの表面方向に移動する所定距離は、光プラグをパッケージに固定された接続アダプタから着脱する作業が干渉されないための所要の空間を確保するために適宜設定されるものであり、カートリジをシェルフから引き出すときストッパ機構によってその所定の距離の位置でロックされるように構成される。また、カートリジにおいて光ファイバが引き出される位置は、シェルフからほぼ最大限離間する位置であることが最も好ましいが、光プラグがシェルフの表面方向に所定距離移動するときに光ファイバが伸張した状態になることなく弛緩した状態に保持することができる限り、引き出される位置は限定されない。
【００１５】
また、本発明に係るカートリジは、シェルフに基板モジュールからなるパッケージが複数収容され、光ファイバを該パッケージ引き出し側と反対側である該シェルフの裏面側より該シェルフの内部に引き込むとともに該シェルフの表面側の該パッケージの部位に光プラグを介して接続する構成を有する電子機器の光ファイバ余長処理構造に用いられるカートリジであって、前記光ファイバの曲げ許容値内で該光ファイバを巻回するための所望の径を有する巻き軸が内蔵され、該巻き軸に該光ファイバの余長分が巻回される構成を有し、且つ、前記シェルフからほぼ最大限離間して配置される位置から前記巻き軸に巻回された前記光ファイバが引き出され、前記パッケージの引き出し方向側でかつ該シェルフに近接する側に配置される位置に該カートリジの端部を該シェルフまたは該シェルフ周辺部に回動可能に軸止めするための軸受け機構が設けられ、該パッケージの引き出し方向と反対方向側でかつ該軸受け機構と対向して配置される位置に該カートリジの端部を該シェルフ周辺部に脱着可能に固定する固定機構が設けられることを特徴とする（請求項６に係る発明）。
【００１６】
ここで、光ファイバの曲げ許容値は周知であり、巻き軸の所望の径はこの曲げ許容値に応じて適宜設定することができる。また、巻き軸はカートリジに固定して設けてもよく、あるいは回転可能に設けてもよい（回転リール）。
これにより、光ファイバの余長分をカートリジに整然と収容することができ、また、このとき、巻回された光ファイバが曲げ許容値を越えて巻回されて損傷することがない。
【００１７】
また、この場合、前記シェルフからほぼ最大限離間して配置される位置から前記巻き軸に巻回された前記光ファイバが引き出され、前記パッケージの引き出し方向側でかつ該シェルフに近接する側に配置される位置に該カートリジの端部を該シェルフまたは該シェルフ周辺部に回動可能に軸止めするための軸受け機構が設けられ、該パッケージの引き出し方向と反対方向側でかつ該軸受け機構と対向して配置される位置に該カートリジの端部を該シェルフ周辺部に脱着可能に固定する固定機構が設けてあるため、カートリジを備えた電子機器の光ファイバ余長処理構造において、光ファイバを増設し、移設し、あるいは撤去するためにパッケージを抜き差しするときに光ファイバが許容値を超えて曲げられることがない。
【００１８】
また、この場合、前記カートリジは脱着可能にカートリジ取付け部に取付けられ、該カートリジ取付け部に前記軸受け機構および前記固定機構が設けられると（請求項３に係る発明）、カートリジを取り外して移動させることができるため、容易に光ファイバを増設し、移設し、あるいは撤去することができる。
【００２０】
【発明の実施の形態】
本発明に係る電子機器の光ファイバ余長処理構造および余長処理構造に用いるカートリジの好適な実施の形態（以下、本実施の形態例という。）について、図を参照して、以下に説明する。
図1 に本実施の形態例に係る光ファイバ余長処理構造の設けられた電子機器としての通信装置の概略斜視図を示す。なお、図１の通信装置１０は１つのユニットを示すものであり、通信装置１０全体としては、先に図８（ａ）、（ｂ）に示したように複数の通信装置１０のユニットが上下方向（図中Ｚ１−Ｚ２方向）に積み重ねて構成される。
【００２１】
通信装置１０はおおよそシェルフ１２とシェルフ１２の内部に収容される基板モジュールからなるパッケージ１４とから構成される。この場合、シェルフ１２には複数のパッケージ１４が図中Ｙ１−Ｙ２方向に配列されている。なお、図１はシェルフ１２からシェルフ１２の表面方向（図中Ｘ２方向）にパッケージ１４を引き出した状態を示す。
【００２２】
光ファイバ１６はシェルフ１２の裏面１２ａ側に下側から上側（図中Ｚ２方向）に向けて引きまわして配設され、シェルフ１２の裏面１２ａ側斜め上方向に設けられた余長処理部としてのカートリジ１８の裏面（図中Ｘ１方向側）に引き込まれ、さらにカートリジ１８の上面（図中Ｚ２方向側）から引き出されてシェルフ１２の上部に形成される室１９の内部にシェルフ１２の裏面１２ａから引き込まれて、延設され、パッケージ１４の前方位置の光プラグ２０に接続されている。
【００２３】
ここで、カートリジ１８はパッケージ１４と対にするのに必要な員数長尺な板状のカートリジ搭載部２２に配列、搭載されている。カートリジ搭載部２２の一側面はシェルフ１２の裏面１２ａに固着されている。この場合、カートリジ１８およびカートリジ搭載部２２は従来光ファイバを収容した架台および架台を支持する支持部材が占有していた空間部（図９参照。）にほぼ収まるように設けられており、新たに余分な空間部を占めることがないため、カートリジ１８およびカートリジ搭載部２２がシェルフ１２の裏面１２ａに配設される図示しない電線ケーブル等と干渉することがなくあるいはカートリジ１８およびカートリジ搭載部２２を設けるための余分な設置スペースを要しない。ここで、カートリジ１８およびカートリジ搭載部２２は９０度回動可能に構成されており（図１中、左端のカートリジ１８参照）、このため、カートリジ１８およびカートリジ搭載部２２と同じ容積の空間部がさらに必要とされるが、この空間部も新たに確保する必要はない。なお、光プラグ２０は光ファイバ１６が接続されるとともに、パッケージ１４に固定された図示しない接続アダプタに接続され、光プラグ２０と接続アダプタとを着脱することにより、光ファイバ１６をパッケージ１４に取付けまたは取り外す構成とされている。
【００２４】
図２に上記通信装置１０の側面図を示し、図３（ａ）〜（ｃ）に、上記通信装置１０の一部省略した正面図、一部省略した平面図、および一部省略した背面図を示す。
図２および図３（ａ）、（ｂ）、（ｃ）に示すように、本発明において光ファイバ１６の余長分は全てカートリジ１８に整然と収容されているため、従来の余長処理部のような光ファイバを巻回して集束し、あるいは結束した状態で露出する個所が存在しないため、光ファイバ１６が整然と配設されており、また、光ファイバ１６の１本１本を識別可能であり、光ファイバ１６を増設し、移設し、あるいは撤去する作業を容易かつ確実に行なうことができる。
【００２５】
図４にカートリジ１８の概略斜視図を示す。
カートリジ１８は直方体状に形成された筐体であり、図４中上側面（蓋）１８ａが開閉可能に設けられている。カートリジ１８の２つの側面１８ｂ、１８ｃには開口部２４ａ、２４ｂが形成され、その開口部２４ａ、２４ｂを形成する側面１８ｂ、１８ｃの端部は、例えば、ゴム等からなる弾性部材２６によって外周が円弧状に覆われている。カートリジ１８の底面１８ｄの一隅には２枚の板材２８ａ、２８ａが立設され、ホルダ（固定部）２８を構成している。
【００２６】
光ファイバ１６の余長分は巻き軸（リール）３０に巻回されて着脱可能にカートリジ１８の内部に収容され、収容時において図示しない固定手段によってカートリジ１８の底面１８ｄに固定されている。ここで、巻き軸３０の径Ｒは、光ファイバ１６を巻回した状態において光ファイバ１６が曲げ許容値を越えることのない適宜な値に設定される。したがって、光ファイバ１６の余長分をカートリジ１８に整然と収容することができるとともに、巻回された光ファイバ１６が曲げ許容値を越えて巻回されて損傷することがない。
【００２７】
また、通信装置１０の外部から敷設される光ファイバ１６は、開口部２４ｂからカートリジ１８の内部に引き込まれ、一方、通信装置１０に接続するために開口部２４ａから引き出される（以下、開口部２４ｂを光ファイバ引き込み部といい、開口部２４ａを光ファイバ引出し部ということがある。）。このとき、光ファイバ１６は弾性部材２６を介して開口端に接触しあるいは摺接するため、光ファイバ１６が保護され、損傷が回避される。
【００２８】
ホルダ２８には未接続の光プラグ２０を収容し、必要に応じて容易に使用することができる。この光プラグ２０に光ファイバ１６が取付けられる。
つぎに、図５を参照して、カートリジ搭載部２２の構成とカートリジ１８をカートリジ搭載部２２に搭載する方法を説明する。
カートリジ搭載部２２は、カートリジ１８と対をなして複数設けられるカートリジ保持部３２とカートリジ保持部３２を配列して戴置する戴置台３４とから構成される。
【００２９】
主面１８ａを立設して配置されるカートリジ１８の図５中下側に位置する側面１８ｅの両端部にはそれぞれ突起３６、３６が延設されている。
カートリジ保持部３２は、長尺な部材であり、カートリジ１８を収容するために上面に開口された溝部３８が形成されている。カートリジ保持部３２の長手方向の一端部には、突起４０が延出するとともに係止部材４２が立設され、他端部には孔部４４の形成された１組の突起４６、４６が主面を上下方向に向けて延設されている。
【００３０】
戴置台３４は、長尺な平板状に形成され、上面の一端部には係止部材４８が配列され、一方、他端部には孔部５０の形成された突起５２が配列されている。
戴置台３４は、その端部がシェルフ１２の裏面１２ａに固着されている。
カートリジ保持部３２は１組の突起４６、４６が戴置台３４の突起５２を挟むようにして戴置台３４の上面に配列され、孔部４４、５０に軸５４が挿通される（軸受け機構）。これにより、カートリジ保持部３２は軸５４を中心として反時計回り方向に９０度回動可能とされる。また、カートリジ保持部３２は突起４０が係止部材４８によって係止され、カートリジ保持部３２が戴置台３４にワンタッチで固定される。この係止部材４８には図示しない付勢機構が設けられており、手動で操作して係止状態が解除される。
【００３１】
カートリジ１８は側面１８ｄの側からカートリジ保持部３２の溝部３８に挿入され、係止部材４２によって突起４０が係止され、これによりカートリジ１８がカートリジ保持部３２にワンタッチで固定される（固定機構）。係止部材４８のときと同様に、係止部材４２には図示しない付勢機構が設けられており、手動で操作して係止状態が解除される。
【００３２】
上記のカートリジ１８およびカートリジ搭載部２２の構成により、カートリジ１８を容易にカートリジ搭載部２２に搭載し、また、取り外して移動させることができるため、光ファイバ１６を増設し、移設し（カートリジ１８を他のカートリジ１８と交換し）、あるいは撤去する作業を容易に行なうことができる。また、カートリジ保持部３２およびカートリジ１８が軸５４を中心として上方に回動可能とされる（移動機構）がその作用効果については後述する。
【００３３】
ここで、カートリジ１８およびカートリジ搭載部２２の変形例を図６に示す。なお、変形例の構成要素のうちカートリジ１８およびカートリジ搭載部２２の構成要素と対応するものについては同一参照符号を付す。
変形例の構成が上記のカートリジ１８およびカートリジ搭載部２２の構成と異なる点は、カートリジ５８の底部５８ａは主面５８ｂ、５８ｃ（主面５８ｃは図示せず。）に２条の溝部５８、５８が形成されて軌条状に形成されていること、およびこれに対応してカートリジ保持部６２に形成される溝部６４の上面が一部閉塞されるとともに、突起４０の設けられる端部の側面に溝部６４に連通して開口６６が形成されていることである。
【００３４】
カートリジ５８はカートリジ保持部６２の開口６６から溝部６４に挿入されて（図中矢印Ｘ方向）、カートリジ５８がカートリジ保持部６２に固定される。
この構成により、使用される係止部材は戴置台３４に設けられた係止部材４８のみで済むため、装置の構成が簡略化され、また、カートリジ５８がカートリジ保持部６２に容易に搭載される。
【００３５】
つぎに、図７を参照して、パッケージ１４をシェルフ１２から着脱するときの作用を説明する。
パッケージ１４がシェルフ１２の所定の位置に収容され、通信装置１０が使用可能な状態において、光ファイバ１６は、余長分がカートリジ１８の内部に収容されているため、弛みを生じることなく整然と配設されている（図７（ａ）参照）。ここで、光ファイバ１６はカートリジ１８の図７中右側下端部の光ファイバ引き込み部２４ｂからカートリジ１８の内部に引き込まれ、カートリジ１８の図７中上側右端部の光ファイバ引出し部２４ａから引き出されている。この状態では、係止部材４８によって突起４０が係止されることによって、カートリジ１８およびカートリジ保持部３２が戴置台３４に固定されているため、まず、係止部材４８と突起４０との係止状態を解除しておく。
【００３６】
パッケージ１４をシェルフ１２の前方（表面方向）に引き出すと、下部に設けられたロック機構６８によって、所定の距離Ｌ１引き出した状態でパッケージ１４の引出しが停止される。この間、パッケージ１４を引き出すに連れて、光プラグ２０に接続された光ファイバ１６が引っ張られ、この結果、軸５４を中心としてカートリジ１８およびカートリジ保持部３２が図７（ｂ）中反時計回り方向に徐々に回動し、最終的には９０度回動する。このとき、光ファイバ引き出し部２４ａは、軸５４を中心として円周運動して前方に引っ張られる（移動機構）。このため、光ファイバ１６は常に張った状態にあり、光ファイバ１６が弛んで煩雑となる不具合がない（図７（ｂ）参照）。
【００３７】
ここで、パッケージ１４を引き出すことによる光ファイバ１６の移動量（所定の距離Ｌ１）とカートリジ１８およびカートリジ保持部３２の回動による光ファイバ１６の移動量（図７（ｂ）中記号Ｌ２で示す。）とはほぼ一致するように設計されているため、光ファイバ１６が異常に引っ張られる事態が回避される。また、光ファイバ１６は、例えば、２ｋｇｆ程度の十分な引っ張り強度を有するため、上記のように光ファイバ１６が引っ張られる程度では、強度上全く支障がない。したがって、予めカートリジ１８およびカートリジ保持部３２を９０度回動しておく手間が不要である。
【００３８】
この状態で、光プラグ２０を接続アダプタから引き抜くことにより、光ファイバ１６のパッケージ１４への接続状態が解除され、したがって、光ファイバ１６はパッケージ１４から分離される。さらに、ロック機構６８を、例えば、手動で解除した後、パッケージ１４がシェルフ１２から完全に引き抜かれる（図７（ｃ）参照）。
【００３９】
つぎに、例えば、引き抜かれたパッケージ１４に代えて新たなパッケージ１４が準備され、あるいは、パッケージ１４とともにカートリジ１８もカートリジ保持部３２からワンタッチで外されパッケージ１４およびカートリジ１８が他の場所に移設等される。
再びパッケージ１４をシェルフ１２に収容すると、光ファイバ１６は室１９において一旦弛んだ状態に至るが（図７（ｄ）参照）、手動でカートリジ１８およびカートリジ保持部３２を時計回り方向にに９０度回動することにより、室１９の光ファイバ１６の弛みが解消され、直ちに整然と配設される（図７（ｅ）参照）。
【００４０】
上記の場合、カートリジ１８に収容される巻き軸３０はカートリジ１８に固定されているが、これに代えて巻き軸をカートリジ１８内部で回転可能な構成（回転リール）としてもよく、その場合、カートリジ１８を回動可能に構成することなく本発明の効果を奏することができる。
なお、本発明の電子機器の光ファイバ余長処理構造および余長処理構造に用いるカートリジは、電子機器の裏面側に光ファイバを配設し、電子機器の表面側から光ファイバを電子機器の内部に引き込む構成の上記の本実施の形態例において特に好適に用いることができるが、これに限定することなく、電子機器の裏面側に光ファイバを配設し、電子機器の側面側から光ファイバを電子機器の内部に引き込む構成であってもよく、また、電子機器の表面側に光ファイバを配設し、電子機器の裏面側あるいは側面側から光ファイバを電子機器の内部に引き込む構成であってもよく、さらにまた、電子機器の側面側に光ファイバを配設し、電子機器の表面側あるいは裏面側から光ファイバを電子機器の内部に引き込む構成のものであってもよい。
【００４１】
【発明の効果】
本発明に係る電子機器の光ファイバ余長処理構造によれば、シェルフに基板モジュールからなるパッケージが複数収容され、光ファイバをパッケージ引き出し側と反対側であるシェルフの裏面側よりシェルフの内部に引き込むとともにシェルフの表面側のパッケージの部位に光プラグを介して接続する構成を有する電子機器の光ファイバ余長処理構造であって、シェルフの裏面側に光ファイバの余長分を収容するカートリジを有するため、光ファイバが整然と余長処理され、したがって、光ファイバを増設し、移設し、あるいは撤去する作業を容易かつ確実に行なうことができる。
【００４２】
また、この場合、カートリジは複数のパッケージとそれぞれ対になって設けられるため、光ファイバの１本１本を識別可能であり、また、カートリジとパッケージの対ごとに光ファイバを増設し、移設し、あるいは撤去することができ、より好適である。
【００４４】
また、本発明に係るカートリジによれば、シェルフに基板モジュールからなるパッケージが複数収容され、光ファイバをパッケージ引き出し側と反対側であるシェルフの裏面側よりシェルフの内部に引き込むとともにシェルフの表面側のパッケージの部位に光プラグを介して接続する構成を有する電子機器の光ファイバ余長処理構造に用いられるカートリジであって、光ファイバの曲げ許容値内で光ファイバを巻回するための所望の径を有する巻き軸が内蔵され、巻き軸に光ファイバの余長分が巻回される構成を有するため、光ファイバの余長分をカートリジに整然と収容することができ、また、このとき、巻回された光ファイバが曲げ許容値を越えて巻回されて損傷することがない。
【００４５】
また、この場合、シェルフからほぼ最大限離間して配置される位置から巻き軸に巻回された光ファイバが引き出され、パッケージの引き出し方向側でかつシェルフに近接する側に配置される位置にカートリジの端部をシェルフまたはシェルフ周辺部に回動可能に軸止めするための軸受け機構が設けられ、パッケージの引き出し方向と反対方向側でかつ軸受け機構と対向して配置される位置にカートリジの端部をシェルフ周辺部に脱着可能に固定する固定機構が設けられるため、カートリジを備えた電子機器の光ファイバ余長処理構造において、光ファイバを増設し、移設し、あるいは撤去するためにパッケージを抜き差しするときに光ファイバが許容値を超えて曲げられることがない。
【００４６】
また、この場合、カートリジは脱着可能にカートリジ取付け部に取付けられ、カートリジ取付け部に軸受け機構および固定機構が設けられるため、容易に光ファイバを増設し、移設し、あるいは撤去することができる。
【図面の簡単な説明】
【図１】  本実施の形態例に係る光ファイバ余長処理構造および余長処理構造に用いるカートリジを説明するための通信装置の概略斜視図である。
【図２】  図１の通信装置を一部透視して示した右側面図である。
【図３】  図１の通信装置を説明するためのものであり、（ａ）は一部省略して示す正面図であり、（ｂ）は一部省略して示す平面図であり、（ｃ）は一部省略して示す背面図である。
【図４】  本実施の形態例に係るカートリジの一面を開放して示した概略斜視図である。
【図５】  本実施の形態例に係るカートリジをカートリジ搭載部に搭載する方法を説明するためのものであり、（ａ）はカートリジおよびカートリジ搭載部の分解斜視図であり、（ｂ）はカートリジをカートリジ搭載部に搭載した状態を示す斜視図である。
【図６】  本実施の形態の変形例に係るカートリジおよびカートリジ搭載部の分解斜視図である。
【図７】  本実施の形態例に係る光ファイバ余長処理構造および余長処理構造に用いるカートリジを説明するためのものであり、（ａ）はパッケージをシェルフに収容して通信装置が使用可能な状態を示し、（ｂ）はパッケージをシェルフから所定の距離引き出した状態を示し、（ｃ）はパッケージをシェルフから完全に引き出した状態を示し、（ｄ）は再びパッケージをシェルフに収容した直後の状態を示し、（ｅ）はさらにカートリジを回動した状態を示す。
【図８】  従来の光ファイバ余長処理構造を説明するためのものであり、（ａ）は表面アクセス方式の通信装置の斜視図であり、（ｂ）は裏面アクセス方式の通信装置の斜視図である。
【図９】  従来の光ファイバ余長処理構造を説明するための裏面アクセス方式の通信装置の右側面図である。
【図１０】  図９の通信装置を説明するためのものであり、（ａ）は裏面アクセス方式の通信装置の一部省略して示す正面図であり、（ｂ）は裏面アクセス方式の通信装置の一部省略して示す平面図であり、（ｃ）は裏面アクセス方式の通信装置の一部省略して示す背面図である。
【符号の説明】
１０  通信装置
１２  シェルフ
１４  パッケージ
１６  光ファイバ
１８、５８  カートリジ
１９  室
２０  光プラグ
２２  カートリジ搭載部
２６  弾性部材
２８  ホルダ
３０  巻き軸
３２、６２  カートリジ保持部
３４  戴置台
４２、４８  係止部材
５４  軸
６８  ロック機構
【図１】
0003789684.tif 000002
【図２】
0003789684.tif 000003
【図３】
0003789684.tif 000004
【図４】
0003789684.tif 000005
【図５】
0003789684.tif 000006
【図６】
0003789684.tif 000007
【図７】
0003789684.tif 000008
【図８】
0003789684.tif 000009
【図９】
0003789684.tif 000010
【図１０】
0003789684.tif 000011